(57)【要約】【課題】建物内の吸排気口、換気口その他の換気開口部を、アームの上下動により移動する蓋で開閉する換気開口部の蓋開閉装置において、通常は所定角度まで蓋を開くことができ、所望により簡単に蓋を全開位置まで回動できるようにした換気開口部の蓋開閉装置を提供する。【解決手段】蓋３の一端を、換気開口部を設けた枠体１に枢着する。枠体には傾斜溝８を有するブラケット６が固着され、傾斜溝８にはアーム２２の基端が摺動可能に嵌合している。蓋の側面にはスライド溝２７が設けられ、アーム２２の先端に設けた案内突起２５がスライド溝２７に嵌合している。蓋３には、上記案内突起２５に係合するラッチ２６が設けられており、ラッチ２６の先端は案内突起２５に係合する方向に進退可能に付勢され、ラッチと案内突起の係合が外れると、アーム２２とスライド溝２７の相対的移動が可能となる。【選択図】図２
2018040552.tif 000002
【特許請求の範囲】
【請求項１】
換気開口部を形成した枠体の一側に蓋を枢着し、蓋と枠体をアームで連結し、アームの先端を上下動させて蓋を開閉する換気開口部の蓋開閉装置において、上記蓋は側面にスライド溝を有し、アームの先端には該スライド溝内に嵌入する案内突起が設けられており、蓋にはラッチが設けられ、該ラッチを上記案内突起に係合する突出位置と案内突起から離脱する後退位置に移動させる操作部を有し、該操作部の操作によりラッチが案内突起から離脱することを特徴とする換気開口部の蓋開閉装置。
【請求項２】
上記請求項１に記載の換気開口部の蓋開閉装置を取り付けた躯体開口部建材。
【発明の詳細な説明】
【技術分野】
【０００１】
本発明は、建物内の吸排気口、換気口その他の換気開口部に設けた蓋を開閉する装置に関し、通常は蓋を所定角度まで開閉でき、必要なときは大きく開くことができるようにした換気開口部の蓋開閉装置及びそれを備えた躯体開口部建材に係るものである。
【背景技術】
【０００２】
枠体に吸排気口や換気口等の換気開口部を設け、この開口部を覆う蓋を開口部の一側に枢着し、アームを介して回動させることにより開閉するようにした蓋開閉装置が知られている(例えば特許文献１参照)。特許文献１に記載の装置は、蓋の側面に設けた側板に、アームの先端をピンで枢着し、枠体側には傾斜スロットを有するブラケット板を設け、この傾斜スロットに可動ピンを摺動可能に嵌合し、この可動ピンと上記アームの基端を連結して引っ張りコイルばねで上方に引き上げている。蓋で開口部を閉鎖した状態では、可動ピンは傾斜スロットの下方に位置し、蓋の先端側は適宜のロック装置でロックされている。蓋のロックを外すと、上記可動ピンがばねにより傾斜スロットに沿って引き上げられ、それに伴って上記アームが上昇してアームの先端で上記蓋を突き上げ、枢軸を中心として蓋を回動し、開口部を開くことができるように構成されている。このような開閉装置は、蓋のロックを外すことにより蓋が自動的に開放されるので、便利であるが、アームの先端が取付ボルトにより蓋に連結され、アームを介して蓋と枠体は常に連結されているから、開放状態からさらに蓋を開くことができない。そのため、開口部内を清掃したり、メンテナンスする必要があるときに蓋が邪魔して作業性がよくない。蓋を全開させるためには、アームを蓋若しくは枠体から切り離せばよいが、簡単ではない。例えば、アームを蓋から外すには、アームの先端を蓋に固定しているボルトやナット等の固着具を分解して除去しなければならないが、狭い空間内での取り外し作業は面倒であり、容易にできるものではない。
【先行技術文献】
【特許文献】
【０００３】
【特許文献１】特許第３３３８４１９号公報（請求項１、図１、図２）
【発明の概要】
【発明が解決しようとする課題】
【０００４】
本発明は、上記のように、給排気口、換気口等の換気開口部を開閉する蓋を、アームを介して通常は所定角度まで開くことができ、所望により全開もできるようにした換気開口部の蓋開閉装置及びそれを備えた躯体開口部建材を提供することである。
【課題を解決するための手段】
【０００５】
本発明によれば、換気開口部を形成した枠体の一側に蓋を枢着し、蓋と枠体をアームで連結し、アームの先端を上下動させて蓋を開閉する換気開口部の蓋開閉装置において、上記蓋は側面にスライド溝を有し、アームの先端には該スライド溝内に嵌入する案内突起が設けられており、蓋にはラッチが設けられ、該ラッチを上記案内突起に係合する突出位置と案内突起から離脱する後退位置に移動させる操作部を有し、該操作部の操作によりラッチが案内突起から離脱することを特徴とする換気開口部の蓋開閉装置が提供され、上記課題が解決される。
【０００６】
上記スライド溝は、好ましくは、蓋の上面に沿って平行に延びる側辺と、側辺の上下に位置する端辺により囲まれた空間を設けたガイドレールにより形成され、上記ガイドレールの外面の開口部は、アームの案内突起をスライド溝に嵌入したのち、外れ止め片により閉塞されている。
【０００７】
本発明によれば、上記ラッチは、ラッチばねにより案内突起に係合する突出位置に向けて付勢されており、蓋には該ラッチを後退位置に後退させるよう操作部の操作つまみが設けられている上記換気開口部の蓋開閉装置が提供される。
【０００８】
上記ラッチは、好ましくは、案内突起に対向して設けられ、かつドッグ軸を有し、ドック軸の先端に形成したドック部には操作つまみに設けたキッカーが対向して、上記ラッチは、上記スライド溝と案内突起の相対的移動方向の軌跡内に出没するように設けられている。
【０００９】
また、本発明によれば、上記枠体には、傾斜溝及び該傾斜溝と平行に設けられた案内溝を有するブラケットが固着され、上記案内溝には係合部を有する作動片が摺動可能に嵌合しており、該作動片と上記アームの基端は、上記傾斜溝に摺動可能に嵌合する作動軸により連結され、上記作動軸は上記傾斜溝を上昇する方向にアームばねで付勢されている上記換気開口部の蓋開閉装置が提供される。
【００１０】
本発明によれば、上記換気開口部の蓋開閉装置を備えた躯体開口部建材が提供される。
【発明の効果】
【００１１】
本発明は上記のように構成され、換気開口部を形成した枠体と蓋をアームで連結し、アームを上下動させて蓋を開閉する換気開口部の蓋開閉装置において、上記蓋の側面にスライド溝を設け、このスライド溝にアームの先端に設けた案内突起を嵌入し、上記蓋には該案内突起に係合するようラッチとラッチの操作部を設けたので、通常の状態では案内突起とラッチを係合させておくことにより、ラッチとスライド溝の相対的な移動を阻止することができる。したがって、アームを上下動させると、アームの先端に追従して蓋は開放状態と閉鎖状態に回動し、換気開口部を開閉することができる。そして、操作部を操作して上記ラッチを案内突起から離脱させると、ラッチとスライド溝の相対的な移動が自由になり、アームの案内突起がスライド溝に嵌入していても、スライド溝を有する蓋をさらに開放することができ、全開することが可能である。
【００１２】
さらに、上記ラッチを、ラッチばねにより案内突起に係合する突出位置に向けて付勢しておき、蓋にはラッチばねに抗して該ラッチを後退位置に後退させるよう操作部として操作つまみを設けておくと、通常の状態ではラッチと案内突起を介してアームと蓋の移動が拘束されているから、アームにより蓋を所定位置まで開放することができる。操作つまみによりラッチを後退させると、案内突起を有するアームと蓋の拘束が解除されるので、容易に蓋を全開することができる。
【００１３】
また、傾斜溝と該傾斜溝に平行する案内溝を有するブラケットを枠体に設け、上記案内溝に係合部を有する作動片を摺動可能に嵌合し、該作動片と上記アームの基端を、上記傾斜溝に摺動可能に嵌合した作動軸により連結し、該作動軸が上記傾斜溝を上昇する方向に作動軸をアームばねで付勢しておくと、アームの基端側の移動が滑らかとなり、蓋の開閉をスムーズに行うことができる。
【図面の簡単な説明】
【００１４】
【図１】本発明の一実施例を示し、蓋が閉鎖状態にあるときの説明図。
【図２】蓋が開放位置にあるとき、ガイドレールの外れ止め片を省いた状態の説明図。
【図３】蓋が全開位置にあるときガイドレールの外れ止め片を省いた状態の説明図。
【図４】蓋の一部を平面からみた説明図を示し、(Ａ)はラッチが後退位置にあるときの説明図、(Ｂ)はラッチが突出位置にある状態の説明図。
【図５】ブラケット部分の斜視図。
【図６】アームの基端側部分の分解斜視図。
【図７】蓋の側面に設けたガイドレール及びアームの一部を切り欠いて示す分解斜視図。
【図８】蓋の内面に設けたベース部分の斜視図。
【図９】他の実施例を示す説明図。
【発明を実施するための形態】
【００１５】
図１から図４は本発明の一実施例を示し、建物内に設けた枠体１には吸排気口、換気口その他の換気開口部２が設けられており、該換気開口部を開閉するように蓋３が形成され、該蓋の一側部に設けた枢軸４を枠体に設けた受溝５に嵌入させることにより蓋３は回動自在に取り付けられている。
【００１６】
上記枠体１には、下方に略Ｌ字形に延びる取付部７を形成したブラケット６が取付ねじで固着されている。該ブラケット６には、図１、図５に示すように、蓋３の枢軸４側が低くなるように傾斜する傾斜溝８が形成され、その下方には傾斜溝８と平行に案内溝９が設けられている。該案内溝９には、作動片１０が摺動可能に嵌合し、該案内溝９の上端部には、作動片１０の一部を差し込むための入口部１１が形成されている。該作動片１０の下端部には、略Ｌ字形に屈曲しその先端がブラケット側面方向に延びている係合部１２が形成され、該係合部１２を上記入口部１１から案内溝９に差し込み、案内溝９の縁に係合した状態で作動片１０が摺動する。該作動片１０は、傾斜溝８方向に延びる板状体で、傾斜溝８に対向する位置に取付孔１３が設けられている。
【００１７】
上記傾斜溝８には作動軸１４が摺動可能に嵌合している。該作動軸１４は、先端に上記傾斜溝８に嵌入する小径の摺動部１５を有し、上記作動片１０の取付孔１３に摺動部１５を通して作動片１０を作動軸１４に連結し、傾斜溝８を貫通してブラケット６の側面側に現れた作動軸１４の先端に、ワッシャ形の板状体で側部に掛止片１６を突設したばね受け片１７を重ねてピンやビス等の固着具１８で固定している。上記ブラケット６の上縁隅部側にも掛止片１９が設けられており、上記掛止片１６、１９に、引っ張りコイルばね等で構成したアームばね２０を掛け止めて上記作動軸１４を傾斜溝８に沿って上昇する方向に付勢している。
【００１８】
上記作動軸１４の後端に設けた連結部２１には、アーム２２の基端に設けた取付孔２３が挿入され、ワッシャ５８を介してピンやビス等の固定具５９によりアーム２２が作動軸に枢着されている。該アーム２２の先端には、図７において一部を切り欠いて示すように、受孔２４を有する案内突起２５が設けられている。該案内突起２５は、アーム２２と一体的に形成し若しくは図７に示すように別体に形成してから一体化してもよく、側方に開口する受孔２４には、下記するラッチ２６が突出したときその先端が入り込み、上記蓋３と上記アーム２２の先端を、回動は許容するが、相対的な移動はしないように拘束する。
【００１９】
上蓋３の側面には、上記アーム２２の先端に設けた案内突起２５が入り込むスライド溝２７が形成されている。該スライド溝２７は、蓋３の側面に直接形成することもできるが、図１に示す実施例では、蓋の側面に突出した状態の箱型に形成してある。図７はそのような箱型のガイドレール２８を示し、該ガイドレール２８は、蓋３の側面に固定具で固定される基板３１から起立し蓋３の上面に沿ってほぼ平行に対向して伸びる側辺２９と、側辺２９の端部側に起立した端辺３０により外面部が開口する箱状の空間を設けてスライド溝２７としている。該ガイドレールの側辺２９間の間隔は案内突起２５の外径よりも大きく、ガイドレール２８の外面部には、アーム２２の案内突起２５をスライド溝２７に差し込んだのち、案内突起２５がスライド溝２７から脱落しないよう略Ｌ字状に形成した外れ止め片３３をガイドレール２８の端辺３０に取付ビス等の固定具３４で固定してあり、これにより開口部を閉塞してある。
【００２０】
上記蓋３の側面には、ガイドレール２８の基板３１に設けた貫通孔３２に連通する貫通孔３５が設けられている。この貫通孔３５の位置は、上記アーム２２の基端側が傾斜溝８の下部に位置しているとき、アーム２２の先端に設けた案内突起２５が位置している部位に対応する位置である。この貫通孔３５に挿通するようラッチ２６が設けられており、該ラッチ２６は上記案内突起２５の受孔２４に係合する突出位置と、案内突起２５の受孔２４から脱出して係合が外れる後退位置の間で移動可能に設けられている。
【００２１】
上記ラッチ２６は、上記貫通孔３２、３５から突出可能な傾斜面３６を先端に有し、後部に段部３７を介して小径部３８を形成し、該小径部３８を、蓋３の内面に固着したベース３９の受片４０に設けた支持孔４１に挿入し、受片４０と上記段部３７の間にラッチばね４２を設けて突出位置に向けて付勢している。ラッチ２６にはラッチの軸心に対して交差する方向に延びるドッグ軸４３が形成され、ベース３９にはラッチ２６に沿って延びるガイド片４４が形成され、該ガイド片４４に設けた長孔４５に上記ドッグ軸４３が貫通し、図８においてガイド片４４の後方に突出して延びるドッグ部４６が形成されている。
【００２２】
上記ベース３９には、蓋３の側面の裏側に固定するための２つの固定片４７が形成され、一方の固定片４７から屈曲して延びる取付片４８にはつまみ軸４９により操作つまみ５０を回動可能に枢着しラッチを操作する操作部を構成している。この操作つまみ５０は、外方部が蓋３の開口端側の裏面に突出し、上記つまみ軸４９による枢着部分よりも固定片４７の内側に沿って屈曲して延びる内方部には、上記ドッグ軸４３の後方に形成された上記ドッグ部４６の側面に沿って延びるキッカー５１が設けられている。上記ラッチ２６は、ラッチばね４２により突出位置方向に付勢されているから、ドッグ軸４３のドッグ部４６は長孔４５の、図８において左方に位置しており、このドッグ部４６に押されてキッカー５１も左方に押され、操作つまみ５０はつまみ軸４９を中心として回動して蓋３の内部に形成したストッパー(図示略)に接して停止している。この状態では、図４(Ｂ)に示すように、ラッチは突出位置にあって、先端は案内突起２５の受孔２４に係合している。上記操作つまみ５０を、図４(Ａ)に示すように、反時計方向に回動すると、上記キッカー５１はドッグ部４６を右方に押し付け、これによりラッチ２６は後退位置に移動する。
【００２３】
上記の構成により、通常の状態では、ラッチ２６は突出位置にあってその先端は、アーム２２の案内突起２５に係合している。図１に示すように蓋３で換気開口部２を閉鎖しているときは、蓋３の開口端は、図示を省略した適宜のロック手段によりロックされ、閉鎖状態を維持している。該ロック手段によるロックを解放すると、上記アーム２２はアームばね２０により基端が上昇する方向に付勢されているから、傾斜溝８に沿って上昇し、蓋３はアーム２２の先端で押し上げられ、枢軸４を中心として回動し、所定位置まで、図２に示す実施例では６０度回動した位置まで開放される。この状態から、蓋３を押し下げれば、蓋３は閉鎖位置に向けて回動し、換気開口部を閉鎖することができる。
【００２４】
上記のように蓋３が所定角度まで開放した状態において、上記操作つまみ５０を回動すると、ラッチ２６は後退し、先端が案内突起２５から外れるから、スライド溝２７と案内突起２５が相対的に摺動可能となり、蓋３を自由に回動することができ、図３に示すように全開することが可能となる。このとき、アーム２２は両端が枢着されているので、蓋３の回動に伴って回動し、蓋の回動に支障を与えることはない。
【００２５】
上記のように蓋３を全開した状態において、ラッチ２６の先端はラッチばね４２に押されて貫通孔３２、３５から突出した状態になっている。そして、蓋３を全開位置から閉鎖位置に向けて回動すると、回動の途中でラッチ２６は、先端の傾斜面３６にガイドされて後退しながら案内突起２５の受孔２４に係合し、アーム２２と蓋３は連結されるから、アーム２２は蓋３とともに閉鎖位置に向けて降下し、図１に示す閉鎖状態に戻る。
【００２６】
上記実施例では、アームの案内突起の先端とラッチの先端を対向させ、ラッチを直線動させて案内突起とラッチの係合、離脱を行うよう構成しているが、案内突起とスライド溝の相対的な移動方向の軌跡内に出没するようラッチを回動可能に設けて移動を制御するようにしてもよい。図９はそのような一例を示し、蓋３の側面には蓋の上面と平行にスライド溝５２を形成してあり、アーム２２の案内突起２５をこのスライド溝５２に嵌入させてその先端が蓋の側面の裏面側に突出するようにしてある。側面の裏面側には、蓋３が閉鎖位置にあるとき上記案内突起２５が位置する側のスライド溝５２の端部で、案内突起２５と蓋３の移動を拘束できるようラッチ５３が設けられている。該ラッチ５３は基部が蓋３の側面に枢軸５４で枢着され、先端がフック状に形成され、スライド溝５２に現れる外周部分を弧面を形成してある。ラッチ５３は、ラッチばね５５により先端が上記案内突起２５に係合する方向(図９においては反時計方向)に付勢され、ストッパー５６に当接するまで回動可能である。ラッチ５３の基部側には、操作つまみ５７が連結され、操作つまみ５７によりラッチ５３は、先端がスライド溝５２に突出する位置から後退する位置に回動可能である。
【００２７】
上記構成により通常の状態ではラッチ５３により案内突起２５とスライド溝５２が拘束されているから、上記実施例と同様に、アーム２２の先端を上下動させると、所定角度まで蓋３を開閉することができる。そして、操作つまみ５７を、図９において時計方向に回動して案内突起２５とラッチ５３の係合を外すと、スライド溝５２と案内突起２５の相対的移動が可能となり、蓋３を全開することができる。全開位置から蓋３を閉鎖方向に回動するとき、ラッチ５３は、ラッチばね５５により図９に示す状態に戻っているが、移動の途中でラッチ５３の弧面に案内突起２５が当たると、ラッチ５３はラッチばね５５に抗して時計方向に回動しながら後退し、案内突起２５がスライド溝５２の端部に位置したとき、ラッチ５３はラッチばね５５により反時計方向に回動してスライド溝内に突出し、再び案内突起２５を拘束することができる。
【符号の説明】
【００２８】
１    枠体
３    蓋
６    ブラケット
８    傾斜溝
９    案内溝
１０  作動片
１４  作動軸
１７  ばね受片
２０  アームばね
２２  アーム
２５  案内突起
２６  ラッチ
２７  スライド溝
２８  ガイドレール
３３  外れ止め片
３９  ベース
４２  ラッチばね
４３  ドッグ軸
５０  操作つまみ
５１  キッカー  
【図１】
2018040552.tif 000003
【図２】
2018040552.tif 000004
【図３】
2018040552.tif 000005
【図４】
2018040552.tif 000006
【図５】
2018040552.tif 000007
【図６】
2018040552.tif 000008
【図７】
2018040552.tif 000009
【図８】
2018040552.tif 000010
【図９】
2018040552.tif 000011